(57)【要約】【課題】簡易な構造で、飛び易くかつ適切な水中姿勢が実現されたルアーの提供。【解決手段】本発明に係るルアー２は、ボディ４と、このボディ４の上部に取り付けられ糸を通すための孔２２を形成するアイ６とを備えている。上記アイ６は、前後方向に延び前方から後方に向けて下方に傾斜する直線状の上枠部２０を備えている。上記アイ６にライン２８を通しこのライン２８を上記上枠部２０の後端に位置させて吊したとき、このルアー２は釣り合った状態となる。好ましくは、上記アイ６にライン２８を通しこのライン２８を上記上枠部２０の前端に位置させて吊したときにも、このルアー２は釣り合った状態となる。【選択図】図１
2019176772.tif 000002
【特許請求の範囲】
【請求項１】
ボディと、このボディの上部に取り付けられラインを通すための孔を形成するアイとを備えており、
上記アイが、前後方向に延び前方から後方に向けて下方に傾斜する直線状の上枠部を備えており、
上記アイにラインを通しこのラインを上記上枠部の後端に位置させて吊したとき、このルアーが釣り合った状態となるルアー。
【請求項２】
上記アイにラインを通しこのラインを上記上枠部の前端に位置させて吊したとき、このルアーが釣り合った状態となる請求項１に記載のルアー。
【請求項３】
上記ルアーの前端から上記上枠部の前端までの前後方向距離Ｌｆの、上記ルアーの前端からこのルアーの重心までの前後方向距離Ｌｇに対する比（Ｌｆ／Ｌｇ）が、１．０以上１．２以下である請求項１または２に記載のルアー。
【請求項４】
上記上枠部の前後方向に対する角度が１０°以上４０°以下である請求項１から３のいずれかに記載のルアー。
【請求項５】
上記ルアーの前端から上記上枠部の後端までの前後方向距離Ｌｂの、上記ルアーの長さＬに対する比（Ｌｂ／Ｌ）が、０．５以下である請求項１から４のいずれかに記載のルアー。
【請求項６】
上記ルアーの前端からこのルアーの重心までの前後方向距離Ｌｇの、上記ルアーの長さＬに対する比（Ｌｇ／Ｌ）が、０．２５以上０．４５以下である請求項１から５のいずれかに記載のルアー。
【発明の詳細な説明】
【技術分野】
【０００１】
本発明は、釣りに用いられるルアーに関する。
【背景技術】
【０００２】
小魚を補食する大型の魚やイカ等（フィッシュイーター）を捕獲する手段として、ルアーフィッシングが普及している。ルアーフィッシングでは、小魚等のベイトに疑似されたルアーが用いられる。ルアーは、キャストされることにより空中を飛行し、やがて着水する。ラインが巻かれることで、ルアーは水中を泳ぐ。このルアーをベイトと勘違いしたフィッシュイーターは、ルアーに食いつく。ルアーに取り付けられた針がフィッシュイーターに刺さり、フィッシュイーターが釣り上げられる。
【０００３】
ルアーには、キャストのときにより遠くへ飛ぶことが求められている。また、ルアーには、ラインが引かれたときに小魚に似た適切な姿勢で水中を泳ぐことが求められている。このために、内部に移動可能な錘を備えたルアーが、特開２００７−２２２００７公報で開示されている。このルアーでは、キャストのときは錘をルアーの後方に位置させて、遠心力を大きくしている。ラインを引くときは、錘を中央近辺に移動させて、ルアーの姿勢を調整している。
【先行技術文献】
【特許文献】
【０００４】
【特許文献１】特開２００７−２２２００７公報
【発明の概要】
【発明が解決しようとする課題】
【０００５】
ルアーの複雑な構造は、製造コストに影響を与える。より簡易な構造で、飛び易くかつ適切な水中姿勢が実現されたルアーが求められている。
【０００６】
本発明の目的は、簡易な構造で、飛び易くかつ適切な水中姿勢が実現されたルアーの提供にある。
【課題を解決するための手段】
【０００７】
本発明に係るルアーは、ボディと、このボディの上部に取り付けられ糸を通すための孔を形成するアイとを備えている。上記アイは、前後方向に延び前方から後方に向けて下方に傾斜する直線状の上枠部を備えている。上記アイにラインを通しこのラインを上記上枠部の後端に位置させて吊したとき、このルアーは釣り合った状態となる。
【０００８】
好ましくは、上記アイにラインを通しこのラインを上記上枠部の前端に位置させて吊したとき、このルアーは釣り合った状態となる。
【０００９】
好ましくは、上記ルアーの前端から上記上枠部の前端までの前後方向距離Ｌｆの、上記ルアーの前端からこのルアーの重心までの前後方向距離Ｌｇに対する比（Ｌｆ／Ｌｇ）は、１．０以上１．２以下である。
【００１０】
好ましくは、上記上枠部の前後方向に対する角度は、１０°以上４０°以下である。
【００１１】
好ましくは、上記ルアーの前端から上記上枠部の後端までの前後方向距離Ｌｂの、上記ルアーの長さＬに対する比（Ｌｂ／Ｌ）は、０．５以下である。
【００１２】
好ましくは、上記ルアーの前端からこのルアーの重心までの前後方向距離Ｌｇの、上記ルアーの長さＬに対する比（Ｌｇ／Ｌ）は、０．２５以上０．４５以下である。
【発明の効果】
【００１３】
本発明に係るルアーでは、ラインを上枠部の後端に位置させてこのルアーを吊したとき、このルアーが釣り合った状態となる。キャストのとき、ラインを上枠部の後端に安定して位置させることができる。これは、このルアーの飛距離に寄与する。このルアーでは、上枠部が前方から後方に向けて下方に傾斜する直線状を呈しているため、着水時には上枠部は水平に近くなる。このルアーでは、ラインは、上枠部の後端から前端に移動し易い。ラインを引くときは、ラインが上枠部の前端に位置することで、ルアーはヘッドを進行方向に向けて適正な水中姿勢で泳ぎうる。この発明によれば、簡易な構造で飛び易くかつ適切な水中姿勢を有するルアーが実現されている。
【図面の簡単な説明】
【００１４】
【図１】図１（ａ）は本発明の一実施形態に係るルアーが示された平面図であり、図１（ｂ）はこのルアーの側面図である。
【図３】図２（ａ）は図１のルアーのアイの後端にラインをかけてこのルアーを吊した状態が示された側面図であり、図２（ｂ）は図１のルアーのアイの前端にラインをかけてこのルアーを吊した状態が示された側面図である。
【図２】図３は、図１のルアーのアイの前端と後端との間にラインをかけてこのルアーを吊した状態が示された側面図である。
【図４】図４は、図１のルアーの着水時の状態が示された側面図である。
【図５】図５は、図１のルアーを引いている状態が示された側面図である。
【図６】図６は、図１のルアーの一部が拡大された側面図である。
【図７】図７は、本発明の他の実施形態に係るルアーが示された側面図である。
【発明を実施するための形態】
【００１５】
以下、適宜図面が参照されつつ、好ましい実施形態に基づいて本発明が詳細に説明される。
【００１６】
図１（ａ）は、本発明の一実施形態に係るルアー２が示された平面図である。図１（ｂ）は、このルアー２の側面図である。図１の矢印Ｘが示す方向がこのルアー２の前方とされ、この逆の方向が後方とされる。矢印Ｙが示す方向が左方向とされ、この逆の方向が右方向とされる。矢印Ｚが示す方向が上方向とされ、この逆の方向が下方向とされる。このルアー２は、ボディ４、アイ６、針部８、固定リング１０及び中間リング１２を備えている。
【００１７】
ボディ４の形状は、小魚に類似している。ボディ４は、ヘッド１４及びテール１６を有している。ボディ４は、木又は合成樹脂からなる。図示されないが、ボディ４の表面が、着色されてもよい。ボディ４の表面に、模様が画かれてもよい。ボディ４にクロスが巻かれ、このクロスが着色されてもよい。
【００１８】
アイ６は、ボディ４の上部に取り付けられている。アイ６は、前後方向において、ボディ４の中央よりも前方寄りに位置する。アイ６は、金属線が曲げられて形成されている。この金属線の両端は、ボディ４に埋め込まれている。アイ６は、ボディ４に堅固に固定されている。
【００１９】
図１（ｂ）に示されるように、このアイ６は、前枠部１８と上枠部２０とを備える。前枠部１８は、ボディ４から上方に延びている。上枠部２０は、前後方向に延びている。上枠部２０は、前方から後方に向けて下方に傾斜する直線状を呈している。前枠部１８、上枠部２０及びボディ４により、三角形状の孔２２が形成されている。この孔２２に、ライン２４が通される。アイ６は、ラインが通される孔２２を形成する。なお、ラインの先端に連結具を取り付け、この連結具をアイ６に接続することで、ラインをアイ６に接続してもよい。本明細書では、この場合も含めて、ラインをアイ６に接続することは、「ラインをアイに通す」と称される。
【００２０】
針部８は、ボディ４の下部に取り付けられている。この実施形態では、針部８の数は、２である。一方の針部８は、前後方向において、ボディ４の中央より前寄りに位置している。他方の針部８は、テール１６に取り付けられている。それぞれの針部８は、取付部２４と針２６とを備えている。針２６は取付部２４から下方に延びている。この実施形態では、３本の針２６が取付部２４から延びている。それぞれの針２６は、異なった方向に向けて湾曲している。平面視において、これらの針２６は放射状に延びている。取付部２４は、リング状である。取付部２４は、中間リング１２を介して、固定リング１０に掛けられている。これにより、針部８は、固定リング１０を基点として、前後左右に揺れ動くことができる。
【００２１】
固定リング１０は、ボディ４の下部に取り付けられている。この実施形態では、固定リング１０の数は、２である。固定リング１０は、金属線が曲げられて形成されている。この金属線の両端は、ボディ４に埋め込まれている。固定リング１０は、ボディ４に堅固に固定されている。
【００２２】
図２（ａ）には、アイ６にライン２８が通されてルアー２が吊された状態が示されている。ライン２８は、上枠部２０の後端に位置している。ライン２８が上枠部２０の後端に位置しているとき、このルアー２は釣り合った状態となる。
【００２３】
図２（ｂ）には、アイ６にライン２８が通されてルアー２が吊された状態が示されている。ライン２８は、上枠部２０の前端に位置している。ライン２８が上枠部２０の前端に位置しているときにおいても、このルアー２は釣り合った状態となる。
【００２４】
このルアー２では、ライン２８が上枠部２０の後端及び前端にあるとき、ルアー２が釣り合った状態となることから、上枠部２０の後端と前端との間において、ルアー２が釣り合った状態となるライン２８の位置が存在する。図３には、ライン２８が上枠部２０の後端と前端との間に位置するとき、釣り合った状態となったルアー２が示されている。図３において、位置Ｐはこのときのライン２８の位置である。この姿勢では、上枠部２０は水平方向に延びている。
【００２５】
図１−３において、符号Ｇはこのルアー２の重心である。重心Ｇは、このルアー２の前後方向の中央より、前側に位置している。図３において、二点鎖線Ｖｇは、位置Ｐから引いた上枠部２０の垂線である。これはライン２８を延ばした線である。上記のとおり、ライン２８が位置Ｐに位置するときにこのルアー２は釣り合うことから、線Ｖｇは重心Ｇを通る。二点鎖線Ｖｂは、上枠部２０の後端から延ばした上枠部２０の垂線である。二点鎖線Ｖｆは上枠部２０の前端から延ばした上枠部２０の垂線である。線Ｖｂは、重心Ｇの後ろ側を通る。線Ｖｆは、重心Ｇの前側を通る。重心Ｇは、線Ｖｂと線Ｖｆとの間に位置する。換言すれば、このルアー２では、重心Ｇが線Ｖｂと線Ｖｆとの間に位置するように、上枠部２０の位置、長さ及び傾斜角度が決められている。
【００２６】
上記のとおり、このルアー２では、図２（ａ）、図２（ｂ）及び図３の三つの釣り合った状態が存在する。ただし、ライン２８が位置Ｐに位置していても、ライン２８が位置Ｐより少しでも後ろにずれると、このルアー２の、ライン２８の後側が軽くなり、ライン２８の前側が重くなる。ルアー２は図３と比べて、前側が下がった姿勢となる。ライン２８は上枠部２０の後端まで移動し、ルアー２は図２（ａ）の状態となる。ライン２８が位置Ｐより少しでも前にずれると、このルアー２の、ライン２８の前側が軽くなり、ライン２８の後ろ側が重くなる。ルアー２は図３と比べて、後ろ側が下がった姿勢となる。ライン２８は上枠部２０の前端まで移動し、ルアー２は図２（ｂ）の状態となる。すなわち、このルアー２では、ライン２８が位置Ｐに位置していても、わずかな揺れ等で図２（ａ）又は図２（ｂ）の状態に移行する。このルアー２を吊したとき、実際にはほとんどの場合、このルアー２は、図２（ａ）又は図２（ｂ）の姿勢となる。
【００２７】
このルアー２をキャストする前に、釣り人は、ライン２８を上枠部２０の後方に位置させる。ルアー２は、図２（ａ）の姿勢で安定する。この状態で釣り人はキャストをする。ライン２８が上枠部２０の後端に位置したまま、ルアー２はヘッド１４を前にして飛ぶ。このルアー２はヘッド１４を下にして着水する。図４には、着水するときのルアー２が示されている。着水するとライン２８のテンションが小さくなり、ライン２８が上枠部２０の前後方向に移動可能となる。図５には、ライン２８が上枠部２０の前端に位置した状態で、ライン２８が巻かれるときのルアー２が示されている。ルアー２はほぼ水平の姿勢で、ヘッド１４を移動方向に向けて泳ぐ。
【００２８】
以下では本発明の作用効果が説明される。
【００２９】
本発明に係るルアー２では、ライン２８を上枠部２０の後端に位置させてこのルアー２を吊したとき、このルアー２が釣り合った状態となる。ライン２８は後端の位置で安定する。また、上枠部２０が前方から後方に向けて下方に傾斜しているため、この後端において、上枠部２０とボディ４とがなす角度は小さい。ライン２８は、この後端の位置からずれることが防止されている。キャストのとき、ライン２８を上枠部２０の後端に安定して位置させることができる。これにより、ライン２８が上枠部２０の前側に位置するよりも、ルアー２にかかる遠心力は大きくなる。これは、このルアー２の飛距離に寄与する。
【００３０】
着水時にはライン２８のテンションが小さくなる。このルアー２では、上枠部２０が前方から後方に向けて下方に傾斜する直線状を呈しているため、図４に示されるように、着水時には上枠部２０は水平に近くなる。このルアー２では、ライン２８は上枠部２０の後端から前端に移動し易い。図５に示されるように、一旦ライン２８が上枠部２０の前端に移動した状態でライン２８が引かれると、ルアー２はほぼ水平の姿勢となる。上枠部２０が前方から後方に向けて下方に傾斜しているため、このライン２８は後方に戻りにくい。すなわち、このライン２８は、上枠部２０の前端に移動し易く、後方に移動しにくい。このルアー２では、ライン２８が上枠部２０の前端に位置することで、ルアー２はヘッド１４を進行方向に向けて泳ぎうる。このルアー２では、ルアー２を引くときの適切な水中姿勢が実現されている。
【００３１】
このルアー２では、飛び易さと適切な水中姿勢とを実現するのに、特別な内部構造や部品は必要ない。簡易な構造で、飛び易くかつ適切な水中姿勢を有するルアー２が実現されている。
【００３２】
前述のとおり、ライン２８が上枠部２０の前端に位置するときにおいても、このルアー２が釣り合った状態となるのが好ましい。このようにするすることで、ルアー２のライン２８より前側の質量が適切に抑えられる。このルアー２では、ライン２８を引くとき、ヘッド１４が進行方向を向きやすくなる。さらに、ライン２８を引くとき、ルアー２はヘッド１４が進行方向を向いた姿勢で安定する。このルアー２では、ルアー２を引くときの適切な水中姿勢が実現されている。
【００３３】
図６には、ルアー２の前側の部分が拡大さて示されている。図６において、両矢印Ｌｆはルアー２の前端から上枠部２０の前端までの前後方向距離を表す。両矢印Ｌｇはルアー２の前端から重心Ｇまでの前後方向距離を表す。距離Ｌｆの距離Ｌｇに対する比（Ｌｆ／Ｌｇ）は、１．０以上が好ましい。比（Ｌｆ／Ｌｇ）を１．０以上とすることで、このルアー２を吊したとき、このルアー２はライン２８より前側が、下がった姿勢となる。キャストのときに、ライン２８を上枠部２０の後端に容易に移動させることができる。キャストのときに、ライン２８を上枠部２０の後端でより安定させることができる。これは、このルアー２の飛距離に寄与する。
【００３４】
距離Ｌｆの距離Ｌｇに対する比（Ｌｆ／Ｌｇ）は、１．２以下が好ましい。比（Ｌｆ／Ｌｇ）を１．２以下とすることで、このルアー２の、ライン２８の前側の質量が適正に抑えられる。ライン２８を引くとき、このルアー２では、ヘッド１４がより前方を向きやすくなる。ライン２８を引くとき、ルアー２をヘッド１４が進行方向を向いた姿勢でより安定させることができる。このルアー２では、ルアー２を引くときの適切な水中姿勢が実現されている。
【００３５】
図３において、両矢印Ｌａは上枠部２０の長さを表す。両矢印Ｌｐは、上枠部２０の後端から位置Ｐまでの距離である。距離Ｌｐの長さＬａに対する比（Ｌｐ／Ｌａ）は、０．５以上が好ましい。比（Ｌｐ／Ｌａ）を０．５以上とすることで、キャストの際にライン２８を上枠部２０の後端に位置させ易い。例えば釣り人はこのルアー２を吊り下げ、ルアー２を揺らすことでライン２８を後端に移動させることができる。
【００３６】
距離Ｌｐの長さＬａに対する比（Ｌｐ／Ｌａ）は、０．８以下が好ましい。比（Ｌｐ／Ｌａ）を０．８以下とすることで、ライン２８を引くとき、このルアー２では、ヘッド１４がより前方を向きやすくなる。ライン２８を引くとき、ルアー２をヘッド１４が進行方向を向いた姿勢でより安定させることができる。このルアー２では、ルアー２を引くときの適切な水中姿勢が実現されている。
【００３７】
図１において、符号Ｌはルアー２の前後方向の長さを表す。ルアー２の長さの計測には、針部８は含まれない。このルアー２では、ルアー２の長さは、ボディ４の長さと同じである。図６おいて、符号Ｌｂはルアー２の前端から上枠部２０の後端までの前後方向距離を表す。距離Ｌｂの長さＬに対する比（Ｌｂ／Ｌ）は、０．５以下が好ましい。比（Ｌｂ／Ｌ）を０．５以下とすることで、着水時の姿勢において、ライン２８より後方に位置するルアー２の部分の表面積を大きくできる。このルアー２では、ライン２８の後方が水の抵抗により動き難くなるため、ライン２８を引いたとき、ヘッド１４がライン２８を引く方向に向きやすい。このルアー２では、ライン２８を引いたとき、ヘッド１４を容易に進行方向に向かせることができる。ライン２８を引くとき、ルアー２はヘッド１４が進行方向を向いた姿勢で安定する。このルアー２では、ルアー２を引くときの適切な水中姿勢が実現されている。
【００３８】
距離Ｌａの長さＬに対する比（Ｌａ／Ｌ）は、０．１０以上が好ましい。比（Ｌａ／Ｌ）を０．１０以上とすることで、このアイ６は、飛ばし易さと適切な水中姿勢の実現に効果的に寄与しうる。この観点から比（Ｌａ／Ｌ）は、０．１２以上がより好ましい。
【００３９】
ルアー２の前端から重心までの距離Ｌｇの長さＬに対する比（Ｌｇ／Ｌ）は、０．２５以上０．４５以下が好ましい。重心の位置をこのように決めることで、このルアー２では、ルアー２を引くときの適切な水中姿勢が実現されている。
【００４０】
図６において、符号θは上枠部２０が前後方向となす角度である。角度θは、１０°以上が好ましい。角度θを１０°以上にすることで、着水時にライン２８は上枠部２０の後端から前端により移動し易くなる。さらに角度θを１０°以上にすることで、ライン２８を引くときに、このライン２８は後方に戻りにくい。これは、ルアー２を引くときの適切な水中姿勢の実現に効果的に寄与する。
【００４１】
角度θは、４０°以下が好ましい。角度θを４０°以下にすることで、着水時にライン２８は上枠部２０の後端から前端により移動し易くなる。これはルアー２を引くときの適切な水中姿勢の実現に効果的に寄与する。さらに角度θを４０°以下にすることで、キャストのときに、ライン２８が上枠部２０の後端の位置からずれることが効果的に防止されている。これは、ルアー２の飛距離に寄与する。
【００４２】
図７は、本発明の他の実施形態に係るルアー３０が示された側面図である。図７の矢印Ｘが示す方向がこのルアー３０の前方とされ、この逆の方向が後方とされる。矢印Ｚが示す方向が上方向とされ、この逆の方向が下方向とされる。このルアー３０は、ボディ３２、尾びれ３４、アイ３６、針部３８、固定リング４０及び中間リング４２を備えている。
【００４３】
ボディ３２の形状は、小魚に類似している。ボディ３２は、木又は合成樹脂からなる。尾びれ３４は、ボディ３２の後端から後方に延びている。尾びれ３４は、ボディ３２に対して上下左右に動くことができる。
【００４４】
アイ３６は、ボディ３２の上部に取り付けられている。アイ３６は、前後方向において、このルアー３０の中央よりも前方寄りに位置する。アイ３６は、金属線が曲げられて形成されている。この金属線の両端は、ボディ３２に埋め込まれている。アイ３６は、ボディ３２に堅固に固定されている。
【００４５】
図７に示されるように、このアイ３６は、前枠部４４と上枠部４６とを備える。前枠部４４は、ボディ３２から上方に延びている。上枠部４６は、前後方向に延びている。上枠部４６は、前方から後方に向けて下方に傾斜する直線状を呈している。前枠部４４、上枠部４６及びボディ３２により、三角形状の孔４８が形成されている。この孔４８に、ラインが通される。アイ３６は、ラインが通される孔４８を形成する。
【００４６】
針部３８は、ボディ３２の下部に取り付けられている。この実施形態では、針部３８の数は、２である。一方の針部３８は、前後方向においてボディ３２の中央より前寄りに位置している。他方の針部３８は、ボディ３２の中央より後ろ寄りに位置している。針部３８は、中間リング４２を介して、固定リング４０に掛けられている。これにより、針部３８は、固定リング４０を基点として、前後左右に揺れ動くことができる。
【００４７】
図示されないが、ラインを上枠部４６の後端に位置させてこのルアー３０を吊したとき、このルアー３０は、釣り合った状態となる。ラインを上枠部４６の前端に位置させてこのルアー３０を吊したときにも、このルアー３０は、釣り合った状態となる。
【００４８】
このルアー３０では、ラインが上枠部４６の後端及び前端にあるとき、ルアー３０が釣り合った状態となることから、上枠部４６の後端と前端との間において、ルアー３０が釣り合った状態となるラインの位置が存在する。図７において、位置Ｐはこのときのラインの位置である。
【００４９】
図７において、符号Ｇはこのルアー３０の重心である。重心Ｇは、このルアー３０の前後方向の中央より、前側に位置している。位置Ｐから引いた上枠部４６の垂線がＶｇとされたとき、線Ｖｇは重心Ｇを通る。上枠部４６の後端から延ばした上枠部４６の垂線がＶｂとされ、上枠部４６の前端から延ばした上枠部４６の垂線がＶｆとされたとき、重心Ｇは、線Ｖｂと線Ｖｆとの間に位置する。換言すれば、このルアー３０では、重心Ｇが線Ｖｂと線Ｖｆとの間に位置するように、上枠部４６の位置、長さ及び傾斜角度が決められている。
【００５０】
このルアー３０をキャストする前に、釣り人は、ラインを上枠部４６の後方に位置させる。ルアー３０は、ラインが後端に位置した状態で安定する。この状態で釣り人はキャストをする。ラインが上枠部４６の後端に位置したまま、ルアー３０はヘッド５０を前にして飛ぶ。このルアー３０はヘッド５０を下にして着水する。着水するとラインのテンションが小さくなり、ラインが上枠部４６の前後方向に移動可能となる。ラインは、上枠部４６の前端まで移動しうる。ルアー３０はほぼ水平の姿勢で、ヘッド５０を移動方向に向けて泳ぐ。
【００５１】
以下では本発明の作用効果が説明される。
【００５２】
本発明に係るルアー３０では、ラインを上枠部４６の後端に位置させてこのルアー３０を吊したとき、このルアー３０が釣り合った状態となる。ラインは、後端の位置で安定する。また、上枠部４６が前方から後方に向けて下方に傾斜しているため、この後端において、上枠部４６とボディ３２とがなす角度は小さい。ラインは、この後端の位置からずれることが防止されている。キャストのとき、ラインを上枠部４６の後端に安定して位置させることができる。これにより、ラインが上枠部４６の前側に位置するよりも、ルアー３０にかけられる遠心力は大きくなる。これは、このルアー３０の飛距離に寄与する。
【００５３】
着水時にはラインのテンションが小さくなる。上枠部４６が前方から後方に向けて下方に傾斜する直線状を呈しているため、着水時には上枠部４６は水平に近くなる。このルアー３０では、ラインは、上枠部４６の後端から前端に移動し易い。一旦ラインが上枠部４６の前端に移動した状態でラインが引かれると、ルアー３０はほぼ水平の姿勢となる。上枠部４６が前方から後方に向けて下方に傾斜しているため、このラインは後方に戻りにくい。すなわち、このラインは、上枠部４６の前端に移動し易く、後方に移動しにくい。このルアー３０では、ラインが上枠部４６の前端に位置することで、ルアー３０はヘッド５０を進行方向に向けて泳ぎうる。このルアー３０では、ルアー３０を引くときの適切な水中姿勢が実現されている。
【００５４】
このルアー３０では、良好な飛距離と適切な水中姿勢を実現するのに、特別な内部構造や部品は必要ない。このルアー３０では、簡易な構造で飛び易くかつ適切な水中姿勢を有するルアー３０が実現されている。
【００５５】
前述のとおり、ラインが上枠部４６の前端に位置するとき、このルアー３０が釣り合った状態となるのが好ましい。このようにするすることで、ルアー３０のラインより前側の質量が適切に抑えられる。このルアー３０では、ラインを引くとき、ヘッド５０が進行方向を向きやすくなる。さらに、ラインを引くとき、ルアー３０はヘッド５０が進行方向を向いた姿勢で安定する。このルアー３０では、ルアー３０を引くときの適切な水中姿勢が実現されている。
【００５６】
図７で示されるように、このルアー３０では、上枠部４６の前端は、重心Ｇより前に位置している。ラインが上枠部４６の前端に移動した状態では、このルアー３０の、ラインの前側は後ろ側よりも軽い。ラインを引くとき、ルアー３０はヘッド５０が前方を向いた姿勢でより安定する。このルアー３０では、ルアー３０を引くときの適切な水中姿勢が実現されている。
【００５７】
図７で示されるように、このルアー３０は、ボディ３２の後ろに尾びれ３４を備える。このルアー３０では、上枠部４６の後端にラインが位置するときも、このルアー３０の、ラインより前方の部分の表面積が後方の部分の表面積より小さい。ラインの後方の部分が水の抵抗により動き難くなるため、ラインを引いたとき、ヘッド５０がラインを引く方向に向きやすい。このルアー３０では、ラインを引いたとき、ヘッド５０を容易に進行方向に向かせることができる。ラインを引くとき、ルアー３０はヘッド５０が進行方向を向いた姿勢で安定する。このルアー３０では、ルアー３０を引くときの適切な水中姿勢が実現されている。
【００５８】
以上説明されたように、本発明に係るルアーでは、簡易な構造で、飛び易くかつ適切な水中姿勢を有するルアーが実現されている。このことから、本発明の優位性は明らかである。
【産業上の利用可能性】
【００５９】
本発明に係るルアーは、湖沼、池、ダム、川、海等の種々のフィールドでの釣りに適している。
【符号の説明】
【００６０】
２、３０・・・ルアー
４、３２・・・ボディ
６、３６・・・アイ
８、３８・・・針部
１０、４０・・・固定リング
１２、４２・・・中間リング
１４、５０・・・ヘッド
１６・・・テール
１８、４４・・・前枠部
２０、４６・・・上枠部
２２、４８・・・孔
２４・・・取付部
２６・・・針
２８・・・ライン
【図１】
2019176772.tif 000003
【図２】
2019176772.tif 000004
【図３】
2019176772.tif 000005
【図４】
2019176772.tif 000006
【図５】
2019176772.tif 000007
【図６】
2019176772.tif 000008
【図７】
2019176772.tif 000009